(57)【要約】      （修正有）【課題】ソフトルアーをはじめとするデッドベイトの針をより効果的な姿勢で保持することができる針保持器の提供。【解決手段】魚釣り用のソフトルアー１００の針１２０を保持する針保持器１であって、針１２０を保持する保持部材と、該保持部材をソフトルアー１００の任意の箇所に着脱可能とする着脱部材と、を備えている。保持部材は、針１２０を引き寄せる磁石２１を備える。また、保持部材２は、磁石２１によって引き寄せられた針１２０の保持姿勢を安定させるガイド部を備えることが好ましい。【選択図】図３
2017158444.tif 000002
【特許請求の範囲】
【請求項１】
魚釣り用のデッドベイトの針を保持する針保持器であって、
前記針を保持する保持部材と、
該保持部材を前記デッドベイトの任意の箇所に着脱可能とする着脱部材と、
を備えることを特徴とする、デッドベイト用の針保持器。
【請求項２】
前記保持部材は、前記針を引き寄せる磁石を備えることを特徴とする請求項１に記載のデッドベイト用の針保持器。
【請求項３】
前記保持部材は、前記磁石によって引き寄せられた前記針の保持姿勢を安定させるガイド部を備えることを特徴とする請求項２に記載のデッドベイト用の針保持器。
【請求項４】
前記ガイド部は、前記保持部材に形成された溝からなることを特徴とする請求項３に記載のデッドベイト用の針保持器。
【請求項５】
前記保持部材は、前記針の保持用の突部を備えることを特徴とする請求項１から４のいずれか一項に記載のデッドベイト用の針保持器。
【請求項６】
前記着脱部材は、螺旋体によって構成されていることを特徴とする請求項１から５のいずれか一項に記載のデッドベイト用の針保持器。
【請求項７】
前記着脱部材は、前記螺旋体に加え、さらにピンを含むものであることを特徴とする請求項６に記載のデッドベイト用の針保持器。
【請求項８】
前記螺旋体は、前記デッドベイトのインサートに届く長さであることを特徴とする請求項６または７に記載のデッドベイト用の針保持器。
【請求項９】
前記デッドベイトがソフトルアーを含む構成である、請求項１から８のいずれか一項に記載のデッドベイト用の針保持器。
【請求項１０】
前記デッドベイトが死に餌を含む構成である、請求項１から８のいずれか一項に記載のデッドベイト用の針保持器。
【請求項１１】
請求項１から８のいずれか一項に記載の針保持器を備えることを特徴とするデッドベイト。
【請求項１２】
前記針保持器が、メインフック以外の針であるマゴ針を保持する位置に装着されていることを特徴とする請求項１１に記載のデッドベイト。
【発明の詳細な説明】
【技術分野】
【０００１】
本発明は、魚釣り用のソフトルアー等のデッドベイトおよびその針保持器に関する。
【背景技術】
【０００２】
ルアー釣りにおいて、対象魚の種類等に応じて様々な工夫が施されたルアーが利用されている。たとえば、対象魚がいわゆるフィッシュイーターと呼ばれる主に小魚を常食餌とする魚である場合、小魚に似せたルアーが使用される。この種のルアーはハードルアーとソフトルアーに大別され、前者はプラスチックや金属のような固い素材で作られ、後者は軟質プラスチック材料等で作られている。
【０００３】
ルアー用のトレブルフック等の針は、通常、金属製リングやスイベル等を介してルアーボディに接続されている。一般に、針はルアーボディから垂れ下がった状態のまま使用されるが、ルアーアクションの向上、効果的なフッキングといった観点から、ルアーボディにマグネットを取り付け、ルアーボディに沿わせて針を固定するようにしたルアーが提案されている（例えば特許文献１参照）。
【先行技術文献】
【特許文献】
【０００４】
【特許文献１】特開２０１５−１９６００号公報
【発明の概要】
【発明が解決しようとする課題】
【０００５】
しかしながら、かかるソフトルアーはメーカーがマグネットを取り付けたものであり、位置を変えたり、マグネットを取り外したりといったユーザー側の要望に応えることはできない。
【０００６】
そこで、本発明は、ソフトルアーをはじめとするデッドベイトの針をより効果的な姿勢で保持することができるようにした魚釣り用のデッドベイトおよびその針保持器を提供することを目的とする。
【課題を解決するための手段】
【０００７】
かかる課題を解決するべく、本発明は、魚釣り用のデッドベイトの針を保持する針保持器であって、
前記針を保持する保持部材と、
該保持部材を前記デッドベイトの任意の箇所に着脱可能とする着脱部材と、
を備えるものである。
【０００８】
ソフトルアーをはじめとするデッドベイトの任意の箇所に装着可能なこの針保持器によれば、針の位置に合わせてセッティングすることができる。また、実釣中は針の姿勢が維持されるので、針の位置や向きが定まらない状態よりも魚をフッキングさせやすい。また、着脱部材によって針保持器は着脱可能であることから、ユーザーの好みどおりに針がセッティングされるまで繰り返し針保持器を装着し直すことができる。さらには、ソフトルアー等をキャストした場合にも針の姿勢が維持されやすい。
【０００９】
これらの結果、魚の口の硬い部分などにいい状態でフッキングする確率が高まることから、途中でのバラしが減り、結果的にキャッチ率の向上につながる。しかも、フッキングした後の針は針保持器から簡単に外れるので魚とのファイトや取り込み動作に影響を及ぼすことはない。
【００１０】
上述した針保持器の前記保持部材は、前記針を引き寄せる磁石を備えるものであってもよい。
【００１１】
また、針保持器の前記保持部材は、前記磁石によって引き寄せられた前記針の保持姿勢を安定させるガイド部を備えていてもよい。
【００１２】
前記ガイド部は、前記保持部材に形成されたＶ字溝からなるものであってもよい。
【００１３】
前記保持部材は、前記針の保持用の突部を備えるものであってもよい。
【００１４】
また、前記着脱部材は、螺旋体によって構成されていてもよい。
【００１５】
前記螺旋体は、前記デッドベイトのインサートに届く長さであることが好ましい。
【００１６】
また、本発明に係るデッドベイトは、上述のごとき針保持器を備えるというものである。
【発明の効果】
【００１７】
本発明によれば、ソフトルアーをはじめとするデッドベイトの針をより効果的な姿勢で保持することができるようになる。
【図面の簡単な説明】
【００１８】
【図１】本発明の一実施形態におけるソフトルアーおよび針保持器の側面図である。
【図２】ソフトルアーのワームに針保持器を装着する様子を示す図である。
【図３】針保持器が装着されたソフトルアーの側面図である。
【図４】針保持器の構成を示す図である。
【図５】本発明の第２の実施形態における針保持器、マゴ針などを拡大して示す図である。
【図６】本発明の第２の実施形態における針保持器の構成を示す図である。
【図７】魚がフッキングして針保持器から外れたマゴ針を、ソフトルアーおよび魚とともに示す図である。
【発明を実施するための形態】
【００１９】
以下、本発明の構成を図面に示す実施の形態の一例に基づいて詳細に説明する。
【００２０】
＜第１の実施形態＞
図１〜図４にデッドベイトの針保持器の実施形態を示す。この針保持器は、魚釣り用のデッドベイトの針を保持する器具である。以下では、ジグヘッド１４０とワーム１５０を備えたソフトルアー１００のマゴ針（孫針）１２０を保持する針保持器（マゴ針キーパー）１を例示しつつ説明する（図１〜図４参照）。
【００２１】
本実施形態のソフトルアーはジグヘッド１４０とワーム１５０とで構成されるもので、さらに、針として、メインフックとして機能するトレブルフック１１０と、補助的な針（アシストフック）として機能するマゴ針１２０とを有している（図１等参照）。
【００２２】
ジグヘッド１４０は、その軸（インサート）１３０がワーム１５０に押し込まれて埋設されることによって当該ワーム１５０と一体となっている（図１参照）。また、ジグヘッド１４０（または軸１３０）に接続されておりワーム１５０の腹側に突出した針取付部１３２には、スプリットリング１６０を介してトレブルフック１１０が接続されている。
【００２３】
マゴ針１２０は、そのチモト部にカン１２０ａが形成された針である。カン１２０ａには、トレブルフック１１０のうちの１つの針１１１が通されている。該１つの針１１１は、その針先部分がワーム１５０の中へ埋め込まれ、マゴ針１２０が脱落しない状態となっている（図１等参照）。
【００２４】
針保持器１はマゴ針１２０を保持する器具であり、ソフトルアー１００に着脱自在に構成されている。この針保持器１は、保持部材２と、着脱部材３とを備える（図１等参照）。
【００２５】
保持部材２は、マゴ針１２０を保持する部材である。本実施形態の保持部材２は、磁石２１とガイド部２２を備えている（図１、図４等参照）。
【００２６】
磁石２１は例えば小型のネオジム磁石など各種磁石が利用可能なものであり、マゴ針１２０を針保持器１に引き寄せる。磁石２１は例えば略円筒形状に成形された樹脂部２４で覆われており、さびにくくなっている（図４等参照）。磁石２１の磁力は、実釣中のマゴ針１２０の姿勢をある程度保持することができ、尚かつ、魚がフッキングした場合のマゴ針１２０が針保持器１から簡単に外れる程度であることが好適である。
【００２７】
樹脂部２４にはガイド部２２が形成されている（図１等参照）。ガイド部２２は、磁石２１によって引き寄せられたマゴ針１２０が針保持器１によって保持される際の保持姿勢を安定させるように形成されている（図３等参照）。ガイド部２２の具体例は特に限定されないが、本実施形態では、保持部材２の樹脂部２４に形成した溝２２Ｖによってガイド部２２を構成している（図４参照）。溝２２Ｖは、マゴ針１２０が収まる形状、大きさのものであればよく、図示するような台形状の溝２２Ｖの他、Ｖ字、Ｕ字、凹形など各種形状の溝とすることができる。また、台形やＶ字のように深いほど幅狭の溝２２Ｖからなるガイド部２２によれば、マゴ針１２０が磁石２１に引き寄せられるにつれて可動幅が狭まるので、保持状態でのマゴ針１２０の方向性が定まりやすく、姿勢が安定しやすい（図３参照）。
【００２８】
なお、磁石２１を樹脂部２４で覆う構成は保持部材２の構成例にすぎない。この他、例えば、樹脂の代わりに金属を採用した構成、磁石２１そのものを切削加工した構成、樹脂と磁石２１の組成物を利用した構成等、種々のものを用いることが可能である。
【００２９】
着脱部材３は、ソフトルアー１００を構成するワーム１５０の任意の箇所に保持部材２を着脱可能とする部材である。着脱部材３の具体的な構成は特に限定されることはない。例示すれば、本実施形態では、コイル（螺旋体）３１によってこの着脱部材３を構成している（図１等参照）。この着脱部材３によれば、コイル３１を回すことによって針保持器１をワーム１５０の所望位置に簡単かつ確実に装着し、あるいは取り外すことができる。実際の着脱作業は、樹脂部２４を指でつまみ、マゴ針１２０を固定したい位置にコイル３１を宛がいながら回転させるという簡単なものであり、沖釣りの船上などにおいても行いやすい（図２参照）。また、コイル３１の回転量を増減させることで、磁石２１やガイド部２２などの取り付け高さを簡単に調整することができる。
【００３０】
コイル３１の長さ（軸方向、差し込み方向の長さ）は、少なくとも軸１３０に届く長さであることが好適である。針保持器１をソフトルアー１００のワーム１５０に装着する際、コイル３１の先端部など一部を軸１３０に係止させることで、抜け止めとすることができる（図２、図３参照）。
【００３１】
＜第２の実施形態＞
図５〜図７にソフトルアー１００の針保持器１の第２の実施形態を示す。本実施形態では、タイラバのうちソフトルアー１００の部分を構成するワーム１５０にマゴ針１２０を保持する態様を示す。
【００３２】
このルアー（タイラバ）は、ジグヘッド１４０、ワーム１５０、ネクタイ１７０、オヤ針１１５、マゴ針１２０などで構成されている。オヤ針１１５はシングルフックであり、ワーム１５０が取り付けられている。マゴ針１２０は、糸などからなるハリス１２０ｂでジグヘッド１４０に取り付けられた遊動式の針である（図７参照）。
【００３３】
本実施形態では、ワーム１５０に装着した針保持器１を用いてマゴ針１２０を保持できるようにしている（図５参照）。マゴ針１２０はぶら下げたままの状態、あるいは一部をワーム１５０に刺した状態で使用されることが一般的であるが、このルアーにおいては針先が外側を向いた姿勢で針保持器１により保持されるので、魚が針掛かりする確率、口の硬い部分などにいい状態でフッキングする確率が高くなる（図７参照）。
【００３４】
針保持器１の基本的な構造は上述したものと同様であるが、一つ異なる点として、本実施形態の針保持器１の保持部材２は、マゴ針１２０の保持用の突部２３をさらに備える（図５参照）。突部２３は、ガイド部２２の入口付近において内側へ向け突出する例えば４つの突起で構成されている（図６参照）。これら突起は、突起の先端間の間隔がマゴ針１２０の太さ（外径）よりも僅かに小さくなるように形成されており、突部２３を乗り越えてガイド部２２に押し込められたマゴ針１２０を外れにくくしている。この結果、磁石２１の磁力による保持力と相まって、マゴ針１２０の保持力（ホールド力）が向上する。したがって、ルアーをキャストした場合にもマゴ針１２０の姿勢が維持されやすく、例えば遠方にキャストした場合にも針の絡みなどを抑えつつ実釣することが可能である。
【００３５】
なお、上述の実施形態は本発明の好適な実施の一例ではあるがこれに限定されるものではなく本発明の要旨を逸脱しない範囲において種々変形実施可能である。例えば上述した実施形態では、着脱部材３をコイル３１で構成してソフトルアー１００のワーム１５０へ着脱可能としたが、コイル３１以外の螺旋体、例示すればスクリューなどといった螺旋体を利用して着脱部材３を構成することもできる。
【００３６】
さらには、螺旋体以外の部材、例えば先端に返しが付いたピン３２（図６参照）等で着脱部材３を構成することもできる。あるいは、コイル３１などの螺旋体とピン３２とを組み合わせ、相乗効果によってより強固にホールドされるようにしてもよい。ピン３２は、針保持器１を真っ直ぐに取り付けやすくするガイドとしても機能する。
【００３７】
また、上述した実施形態では、保持部材２として磁石２１を備えたものを例示したが、それ以外の構成によってマゴ針１２０を保持することも可能である。例えば、突部２３を備えているが磁石は備えていない保持部材２によってマゴ針１２０を保持することができる。
【００３８】
また、上述した実施形態では、針保持器１によってマゴ針１２０を保持する形態を説明したが、当該針保持器１によってトレブルフック（メインフック）１１０を保持することも可能である。
【００３９】
また、上述した実施形態では、ソフトルアー１００を例に説明したが、これは本発明を適用することができるデッドベイトの好適な一例にすぎない。この他の例を挙げれば、例えば、イワシなどの死に餌を文字通りのデッドベイトとした場合にも本発明を適用することができる。特に図示はしていないが、ワーム１５０の代わりに死に餌を用いている以外は上述した実施形態と同じ構成のベイト（ルアー）とした場合に、死に餌の所望の箇所に針保持器１を取り付けて針（マゴ針など）を保持することが可能である。
【産業上の利用可能性】
【００４０】
本発明は、海釣りか、湖沼や河川での釣りかを問わず、魚釣り用のソフトルアーに適用して好適なものである。
【符号の説明】
【００４１】
１…針保持器
２…保持部材
３…着脱部材
２１…磁石
２２…ガイド部
２２Ｖ…溝
２３…突部
２４…樹脂部
３１…コイル（螺旋体）
３２…ピン
１００…ソフトルアー（デッドベイト）
１１０…トレブルフック（針）
１１１…（トレブルフックの）１つの針
１１５…オヤ針
１２０…マゴ針（針）
１２０ａ…カン
１２０ｂ…ハリス
１３０…軸（インサート）
１３２…針取付部
１４０…ジグヘッド
１５０…ワーム
１６０…スプリットリング
１７０…ネクタイ
【図１】
2017158444.tif 000003
【図２】
2017158444.tif 000004
【図３】
2017158444.tif 000005
【図４】
2017158444.tif 000006
【図５】
2017158444.tif 000007
【図６】
2017158444.tif 000008
【図７】
2017158444.tif 000009